(57)【要約】  ダンパ装置（１００）は、２つの同心円状の中空形材（１０および２０）を備えており、それぞれ壁部（１１および１２）を有しており、壁部（１１および１２）は、その間において環状体積（２２）を形成している。ダンパ装置（１００）は、対応する１つまたは複数の接触点において、燃焼器（５）に接続する１つまたは複数のネック（３０）をさらに備えている。１つまたは複数のネック（３０）は環状体積（２２）に接続されている。
2015518102.tif 000002
【特許請求の範囲】
【請求項１】
ダンパ装置（１００）であって、
２つの同心円状の中空形材（１０および２０）であって、該中空形材（１０および２０）は、それぞれ壁部（１１および１２）を有し、該壁部（１１および１２）は、該壁部（１１および１２）の間に環状体積（２２）を形成する、２つの同心円状の中空形材（１０および２０）と、
対応する１つまたは複数の接触点において、前記ダンパ（１００）を燃焼器（５）に接続するための１つまたは複数のネック（３０）であって、該１つまたは複数のネック（３０）は、前記環状体積（２２）にさらに接続される、１つまたは複数のネック（３０）とを備えたことを特徴とする、ダンパ装置（１００）。
【請求項２】
燃焼器（５）をさらに備え、前記１つまたは複数のネック（３０）は、対応する１つまたは複数の接触点において前記燃焼器（５）に接続されている、請求項１記載のダンパ装置（１００）。
【請求項３】
前記１つまたは複数の接触点は、燃焼器（５）に接続される１つまたは複数のバーナ（６）の周縁部に配置されている、請求項２記載のダンパ装置（１００）。
【請求項４】
前記環状体積（２２）は前記バーナ（６）に対して同心円状である、請求項３記載のダンパ装置（１００）。
【請求項５】
前記環状体積（２２）と前記１つまたは複数のネック（３０）との組み合わせが、１つまたは複数の脈動周波数を減衰するように調整される、請求項１記載のダンパ装置（１００）。
【請求項６】
前記環状体積（２２）は、前記２つの同心円状の中空形材（１０および２０）の前記壁部（１１および１２）の間において、長手方向または周方向に延びる１つまたは複数のプレート（７０，７２，７４および１３０１）を備える、請求項１記載のダンパ装置（１００）。
【請求項７】
前記１つまたは複数のプレート（７０，７２，７４および１３０１）は、該プレートの第１の側において第１の環状体積を画定し、前記プレートの第２の側において第２の環状体積を画定する、請求項６記載のダンパ装置（１００）。
【請求項８】
前記１つまたは複数のプレート（７０，７２，７４および１３０１）は可動であって、該１つまたは複数のプレート（７０，７２，７４および１３０１）は、前記第１の環状体積および前記第２の環状体積を相互接続するために、前記１つまたは複数のプレート（７０，７２，７４および１３０１）を通る１つまたは複数のネック（９０，９２，９４，９６，９７および９８）を有する、請求項７記載のダンパ装置（１００）。
【請求項９】
前記環状体積（２２）および前記１つまたは複数のネックは、可変なサイズおよび体積を有する、請求項１記載のダンパ装置（１００）。
【請求項１０】
前記環状体積（２２）および前記ネック（３０）の少なくとも一方が、該環状体積（２２）および前記ネック（３０）の少なくとも一方内に、多孔質材料、吸収材料、吸着材料、多孔スクリーンおよび金属発泡体のうち１つ以上を備える、請求項１記載のダンパ装置（１００）。
【請求項１１】
ダンパ装置（１００）を設計する方法であって、
２つの同心円状の中空形材（１０および２０）であって、該中空形材（１０および２０）は、それぞれ壁部（１１および１２）を有し、該壁部（１１および１２）は、該壁部（１１および１２）の間に環状体積（２２）を形成する、２つの同心円状の中空形材（１０および２０）を提供すること（５０）と、
前記環状体積（２２）に接続された１つまたは複数のネック（３０）を提供すること（５２）と、
対応する１つまたは複数の接触点において、前記１つまたは複数のネック（３０）を前記燃焼器（５）に接続すること（５４）とを含むことを特徴とする、ダンパ装置（１００）を設計する方法。
【請求項１２】
前記燃焼器（５）に接続された１つまたは複数のバーナ（６）の周縁部に、１つまたは複数の接触点を配置することをさらに含む、請求項１１記載の方法。
【請求項１３】
１つまたは複数の脈動周波数を減衰するために、前記環状体積（２２）と前記１つまたは複数のネック（３０）との組み合わせを調整することをさらに含む、請求項１１記載の方法。
【請求項１４】
前記１つまたは複数のネック（３０）および前記環状体積（２２）のサイズおよび体積を変えることをさらに含む、請求項１１記載の方法。
【請求項１５】
前記環状体積（２２）に、前記２つの同心円状の中空形材（１０および２０）の前記壁部（１１および１２）の間において長手方向および周方向に延びた、前記１つまたは複数のプレート（７０，７２，７４および１３０１）を挿入することをさらに含み、前記１つまたは複数のプレート（７０，７２，７４および１３０１）は可動であり、かつ該１つまたは複数のプレート（７０，７２，７４および１３０１）は該プレートの第１の側において第１の環状体積を画定し、かつ前記プレートの第２の側において第２の環状体積を画定している、請求項１１記載の方法。
【発明の詳細な説明】
【技術分野】
【０００１】
本発明は、ダンパ装置に関する。特に、ダンパ装置は、リーンな予混合低排出燃焼システムを備えたガスタービンの作動中に発生する圧力振動を減衰するために使用されている。
【０００２】
発明の背景
ガスタービンは、１つまたは複数の燃焼器を備えていることが知られており、燃料が噴出され、空気流と混ざり、かつ燃焼されて、タービンで膨張される高圧煙道ガスを発生させる。
【０００３】
作動時、燃焼器に機械的損傷を与え、かつ作動機構を制限し得る圧力振動が発生することがある。それにもかかわらず、これらの圧力振動の周波数は、ガスタービンによってわずかに変わり、加えて、同じガスタービンでも、周波数はガスタービン作動時にわずかに変わる（例えば、部分負荷、ベース負荷、過渡現象等）。
【０００４】
通常、ガスタービンは、汚染排出値を順守するためにリーンモードで動作しなければならない。このモードでの作動時におけるバーナ炎は、流れ摂動に非常に敏感であり、かつ燃焼器の動力学と容易に結び付き、熱音響不安定性を引き起こすことがある。このため、通常、燃焼器は、これらの圧力振動を減衰するために、例えば４分の１波長管、ヘルムホルツダンパまたは音響スクリーンなどの減衰装置を備えている。
【０００５】
図１を参照すると、従来のヘルムホルツダンパ１は、減衰体積２（すなわち、共振器体積）とネック３（入口部分）とを備えており、減衰体積２およびネック３は、バーナ６が接続されている燃焼器５の（線模様で示されている）前側パネル壁４に接続されている。燃焼により発生する圧力振動は減衰する必要がある。
【０００６】
ヘルムホルツダンパの共振周波数（すなわち、減衰された周波数）は、共振器体積２およびネック３の幾何学的特徴によって決まり、かつ燃焼器５で発生する圧力振動の周波数に対応していなければならない。
【０００７】
具体的には、体積およびネックの形状は、ヘルムホルツダンパの固有振動数を決定する。ヘルムホルツダンパの最大減衰特性は、固有振動数において達成され、通常は非常に狭い周波数帯に存在している。
【０００８】
通常、ヘルムホルツダンパは、低周波数範囲の圧力脈動（５０〜５００Ｈｚ）に対応するために使用されるので、ヘルムホルツダンパの体積サイズは増加する。場合によっては、ヘルムホルツダンパの体積は、バーナサイズに相当しさえする。このために、これらのダンパの設置のために残された前側パネル壁４の周囲のスペースは非常に狭くなる。その上、十分広い帯域幅において圧力振動を減衰するために、複数のヘルムホルツダンパを燃焼器に接続する必要がある。
【０００９】
前側パネル壁４のスペースが限られているので、従来のヘルムホルツダンパ１を設置するための選択肢は限られている。このことは図２に示されており、前側パネル壁４において、１つのヘルムホルツダンパ１を配置するために、１つのバーナ６を取り除く必要がある。これは、結局、燃焼器５が収容することができるバーナ６の数と従来のヘルムホルツダンパ１の数との間のトレードオフである。
【００１０】
従って、上述の解決策は、ダンパの設置によるバーナの前側パネル壁の周囲におけるスペースの制限をうける。その上、これらの解決策では、ダンパが、燃焼器において広帯域な減衰周波数を有することを可能としない。
【００１１】
発明の概要
従って、本発明の技術的目的は、従来技術の上述の問題に対応するダンパ装置を提供することを含む。
【００１２】
この技術的目的の範囲において、本発明の態様は、燃焼器のバーナの周囲にダンパを配置することを可能にしたダンパ装置とそのダンパ装置を設計する方法とを提供することである。
【００１３】
本発明のさらなる態様は、微調整を必要としないかまたは限定的に必要とした、圧力振動の周波数変化に対処することができるダンパ装置を提供することである。
【００１４】
本発明の別の態様は、２箇所以上で燃焼器に接続されることで、広帯域範囲において複数の脈動周波数を同時に減衰することができるダンパ装置を提供することである。
【００１５】
本発明の別の態様は、特に上述の従来のダンパ装置と比べた場合に、非常にシンプルなダンパ装置を提供することである。
【００１６】
本発明のまた別の態様は、それぞれが壁部を備えた２つの同心円状の中空形材であって、２つの壁部がそれらの間において環状体積を形成した２つの同心円状の中空形材と、対応する１つまたは複数の接触点において燃焼器に接続される１つまたは複数のネックとを備えたダンパ装置を提供することである。１つまたは複数のネックは、環状体積に接続されている。
【００１７】
本発明の別の態様において、１つまたは複数の接触点は１つまたは複数の脈動周波数に対応している。
【００１８】
本発明のまた別の態様において、環状体積と１つまたは複数のネックとの組み合わせは、１つまたは複数の脈動周波数を減衰するために調整されている。
【００１９】
技術上の目的は、これらおよびさらなる態様とともに、添付の特許請求の範囲に従ってダンパ装置とそのダンパ装置を設計する方法とを提供することによって本発明により達成される。
【００２０】
本発明のさらなる特徴および利点は、添付の図面において非限定的な例として示されているダンパ装置の好適であるが非限定的な実施の形態の記載から、より明らかとなるであろう。
【図面の簡単な説明】
【００２１】
【図１】従来技術による、燃焼器に接続された従来のヘルムホルツダンパの概略図である。
【図２】従来技術による従来のヘルムホルツダンパを備えたバーナ前側パネルの平面図である。
【図３】本発明の実施の形態による、環状ヘルムホルツダンパの概略図である。
【図４】図４Ａおよび図４Ｂは、本発明の実施の形態による、バーナ前側パネルのバーナ
【図５】本発明の実施の形態による、環状ヘルムホルツダンパを設計する方法の流れ図である。
【図６】図６Ａおよび図６Ｂは、本発明の実施の形態による、環状缶型燃焼器のバーナの周囲に配置された環状ヘルムホルツダンパの側面図である。
【図７】本発明の実施の形態による、複数の体積を有する環状ヘルムホルツダンパの構成を示す図である。
【図８】本発明の実施の形態による、図７に記載の構成の平面図である。
【図９】本発明の実施の形態による、複数のネックを介して相互接続された複数の体積を有する環状ヘルムホルツダンパの構成を示す図である。
【図１０】本発明の実施の形態による、図９に記載の構成の平面図である。
【図１１】本発明の実施の形態による、体積間の音響結合を調整するために充填材を使用した環状ヘルムホルツダンパを示す図である。
【図１２】本発明の実施の形態による、図１１に記載の構成の平面図である。
【図１３】本発明の複数の実施の形態による、直列に相互接続された複数の体積を有する環状ヘルムホルツダンパの構成を示す図である。
【図１４】本発明の実施の形態による、図１３に記載の構成の平面図である。
【００２２】
発明の実施の形態の詳細な説明
ここで、本開示の好ましい実施の形態を、図面を参照にして説明する。図面を通して同じ参照番号が同じ要素を示すように使用されている。以下の記載では、説明を目的として、本開示の十分な理解を提供するために多くの具体的な詳細が示されている。しかし、本開示がこれらの具体的詳細なしで実施できることは明らかである。
【００２３】
図３を参照すると、ダンパ装置１００、すなわち、バーナ前側パネル４（すなわち前側パネル壁４）の周囲のスペースが制限されているという問題に対応し、かつ燃焼器５で発生する複数の脈動周波数を減衰することもできるダンパ１００が提供されている。以下では、ダンパ１００は、環状ヘルムホルツダンパ１００を同じように意味する。例示的な実施の形態における燃焼器５は、ガスタービンの燃焼器である。
【００２４】
本発明の実施の形態では、ダンパ１００は、２つの同心円状の中空形材１０，２０を備えており、形材１０，２０はそれぞれ壁部１１，１２を備えている。両方の壁部１１，１２は、それらの間に環状体積２２を形成している。言い換えると、壁部１１の内面と壁部１２の外面が環状体積２２を形成している。ダンパ１００は、ダンパ１００を燃焼器５に接続する１つまたは複数のネック３０をさらに備えている。１つまたは複数のネック３０は、一端において環状体積２２に接続されており、他端において燃焼器５の対応する１つまたは複数の接触点に接続されている。
【００２５】
本発明の好ましい実施の形態では、２つの同心円状の中空形材１０，２０は、中空の円筒状体積であって、それぞれ壁部１１，１２を備えている。こうして、これら両方の壁部１１，１２は、それらの間に環状体積２２を形成している。以下では、中空形材という用語は、中空体積を同じように意味する。円筒状形材のみが、詳細な説明を通して例示的な目的のために用いられているが、このことは本発明の範囲をこの形材に限定するものではなく、同心円状であり、かつ２つの形材の壁部の間に環状体積を形成するような構成を有するほかのすべての形材に拡張することができることは当業者には明らかであろう。
【００２６】
ダンパ１００は、燃焼器５において定在波パターンの最大脈動に近いときに最良の減衰効果を有することが周知である。従来のヘルムホルツダンパ（従来技術のダンパ）の共振周波数は、以下により与えられる。
2015518102.tif 000003
ここで、Ｆｎはダンパの共振周波数、Ａｎはネックの面積、Ｖはダンパにおける共振器の体積、Ｌｎはネックの長さである。Ｃはダンパ内の流体の平均音速である。通常、ベース負荷条件においては、Ｃは約５００〜５５０ｍ／ｓである。
【００２７】
共振周波数Ｆｎは、燃焼器５において発生する１つまたは複数の脈動周波数を減衰させるように調整することができる。複数の周波数には、複数のダンパを使用するか、または複数の体積およびネックを有するダンパを使用することで対応することができる。通常、Ｆｎは、５０〜５００Ｈｚの範囲である。通常作動時を仮定すると、従来のダンパを１５０Ｈｚの共振周波数Ｆｎに微調整する必要がある場合、定数Ｃが５００ｍ／ｓでは、ネックの面積Ａｎおよび共振器の体積Ｖは以下のように計算することができる。
Ｒｎ＝０．０１５ｍ（ネックの半径）
Ｌｎ＝０．１ｍ（ネックの長さ）
Ｌｖ＝０．２５ｍ（体積の長さ）
Ｒｖ＝０．０５ｍ（体積の半径）
【００２８】
ここで、環状ヘルムホルツダンパ１００に、同じく１５０Ｈｚの共振周波数Ｆｎを再現させる場合、以下のように仮定する。
Ｌｖ’＝Ｌｖ（すなわち、環状ダンパ１００の共振器の長さは、従来のダンパの共振器の長さに等しい）
Ｒｖ’＝０．１ｍ（図３に示されているダンパ１００の共振器の半径）
Ｄｒｖ（同心円状の体積１０，２０の半径の間の差）は、以下のように計算することができる。
2015518102.tif 000004
従って、Ｄｒｖ＝０．０１４ｍ
【００２９】
また、ダンパ１００が、従来のダンパでは１つであるのに代わって、９つのネック３０を備えていると仮定する場合、Ｒｎ’（ダンパ１００のネック３０の半径）は、以下のように計算することができる。
2015518102.tif 000005
従って、Ｒｎ’＝Ｒｎ／３＝０．００５ｍ（ネック３０の半径）
【００３０】
このことは、最も外側の体積１０の半径がＲｖ’＋Ｄｒｖ／２＝０．１０７ｍであることを意味している。
【００３１】
言い換えると、この環状設計のダンパ１００では、２つの体積１０，２０の間の距離差、すなわちＤｒｖは０．０１４ｍであり、各ネック３０の半径Ｒｎ’＝０．００５ｍよりも大きく、そのため、これらのネックを環状体積２２内に収容するのに十分である。
【００３２】
図４Ａおよび図４Ｂは、本発明の実施の形態による、バーナ前側パネル４のバーナ６の周囲に配置された環状ヘルムホルツダンパの平面図を示している。図４Ａにおいて、上から見ると、バーナ６の断面は円形に示されており、かつダンパ１００は、２つの体積１０，２０を備えており、それらはバーナ６の断面の周囲において２つの同心円として示されている。また、各ネック３０の断面は、環状体積２２において円形で示されている。
【００３３】
図４Ｂを参照すると、図２（従来技術）と比べると、バーナ６の周囲にダンパ１００があるそのような構成は、前側パネル壁４における全てのバーナに関して再現することができる。従って、ダンパ１００装置は、バーナの前側パネル壁４の周囲におけるスペースの制限という問題を解消する。
【００３４】
この設計は単に例示的であり、かつダンパを種々の別のネックおよび体積の組み合わせに配置することができることが当業者には明らかであろう。ダンパ１００の設計は、減衰する必要がある優位周波数の数に応じて、燃焼器５に関して、相互接続された中空形材１０，２０およびネック３０の可変の数に容易に拡張することができる。本発明の別の実施の形態では、ダンパ１００は、１つまたは複数のネック３０が燃焼器５と接触する位置において最大となる１つの優位周波数のみを減衰するように使用することができる。本発明の種々の実施の形態では、１つまたは複数の接触点が、燃焼器５に接続されたバーナ６の周縁部に配置される。その上、ダンパ１００が燃焼器５に接触する接触点は、３次元に分散してもよい。単に簡潔な説明のために、実施の形態はすべて２次元で示されているが、このことは本発明の範囲を限定しない。
【００３５】
本発明の実施の形態によれば、図５は、燃焼器５のためのダンパ１００を設計する方法の流れ図を示している。第１のステップ５０では、２つの同心円状の中空形材１０，２０が提供され、それぞれ壁部１１，１２を有している。壁部１１，１２は、それらの間に環状体積２２を形成している。次いで、第２のステップ５２では、環状体積２２に接続された１つまたは複数のネック３０が提供される。最終ステップ５４では、１つまたは複数のネックが、対応する１つまたは複数の接触点において燃焼器５に接続される。本発明の実施の形態によれば、１つまたは複数の接触点は、バーナ６の周縁部の周りに配置されている。このやり方では、ダンパ１００は、バーナ６の周囲に配置されており、これによって、バーナ前側パネル４の周囲のスペースが制限されているという問題を解消している。
【００３６】
本発明の別の実施の形態によれば、図６Ａおよび図６Ｂは、環状缶型燃焼器２００のバーナの周囲に配置された環状ヘルムホルツダンパの側面図および平面図を示している。一般的な燃焼器（すなわち燃焼器５）に代わり、環状缶型燃焼器２００は、１つの燃焼器につき複数のバーナ２０２を備えている。この実施の形態では、環状缶型燃焼器２００は、１つの燃焼器につき３つのバーナ２０２を備えている。そのような環状缶型燃焼器２００も、環状ヘルムホルツダンパ１００の設置に適用してよい。
【００３７】
図６Ｂは、環状缶型燃焼器２００の断面を示す平面図を示している。２つの同心円状の中空体積１０，２０を備えたダンパ１００は、３つのバーナ２０２をすべてまとめて囲むように配置されている。実際、体積１０，２０は環状缶型燃焼器２００の周縁部に関して同心円状である。さらに、１つまたは複数のネック３０は、ダンパ１００を環状缶型燃焼器２００に接続している。そのような構成によって、ダンパ１００は、１つのダンパにつき複数のバーナに働くことによって、環状缶型燃焼器であっても必要な減衰効果を提供することができる。
【００３８】
ここまで記載されたすべての実施の形態において、ダンパ１００は、２つの同心円状の中空形材１０，２０の間に形成された１つの環状体積２２を示している。しかし、本発明の様々な別の実施の形態によれば、ダンパ１００の減衰特性および減衰周波数を修正／微調整するために、（本発明の範囲内において）複数の環状体積を、ネック３０に関して直列なおよび／または並列な組み合わせで配置して所望の結果を達成することができる。以下の種々の本発明の実施の形態によれば、中空形材１０，２０とネック３０との間のそのような相互接続を配置する様々な可能性が記載される。
【００３９】
図７は、本発明の実施の形態による、複数の体積を備えた環状ヘルムホルツダンパの構成を示している。ダンパは、２つの同心円状の中空形材１０，２０の間において長手方向に延びた１つまたは複数のプレートを備えてもよい。この実施の形態では、ダンパ１００は、環状体積２２において長手方向（長さに沿って）延びた３つのプレート７０，７２，７４を備えている。各プレートは、プレートの第１の側において第１の環状体積を、プレートの第２の側において第２の環状体積を画定している。従って、環状体積２２は、互いに並列に接続された３つの環状体積に分けられている。本発明の様々な実施の形態によれば、これらのプレートは、３つの環状体積を変化させるようにダンパ１００の周囲に沿って動かすことができる。これによって、燃焼器５における１つまたは複数の脈動周波数に関してダンパ１００を微調整するためのさらなる可能性が提供される。
【００４０】
図８は、本発明の実施の形態による、図７に記載の構成の平面図を示している。バーナ６の断面は、円形に示されており、２つの体積１０，２０の間に画定されている環状体積２２を備えたダンパ１００は、バーナ６の断面の周囲において２つの同心円として示されている。各ネック３０の断面は、環状体積２２において円で示されている。さらに、プレート７０，７２，７４は、並列に３つの体積を形成している。
【００４１】
環状体積２２を３つのプレートを使用して３つの体積に分けることは例示に過ぎず、本発明の範囲を限定せずに、ダンパの調整要件に応じて複数の体積に限定することができることが当業者には明らかであろう。本発明の種々の実施の形態では、複数の体積は、ダンパ１００の減衰特性を効果的に変化させるようにさらに微調整してもよい。
【００４２】
図９は、本発明の実施の形態による、複数のネック３０を介して相互接続した複数の体積を有する環状ヘルムホルツダンパ１００の構成を示している。図７に示される例示的なダンパ１００に続いて、図９のダンパ１００も、環状体積２２を３つの体積に分けているプレート７０，７２，７４を備えている。プレート７０は、プレート７０の両側の第１の体積と第２の体積とを相互接続している３つのネック９０，９２，９４を備えている。同様に、プレート７４は、プレート７４の両側の第１の体積と第２の体積とを相互接続している３つのネック９６，９７，９８を備えている。本発明の１つの実施の形態では、ネックは、プレートの長さに沿って配置され、かつプレートの両側の第１の体積と第２の体積との間に開口部を形成している中空管状の円筒体である。プレート７０，７４ごとに３つのネックのみが、この例示的な実施の形態に示されているが、異なる数のネックを、減衰要件に応じて１つまたは複数のプレートに使用してもよい。
【００４３】
ネックおよび体積の形状を変えることによってダンパ１００の共振周波数を変えることができることが当業者には明らかであろう。それは、体積およびネック自体の構造／断面を変えることによって達成される。上述のすべての実施の形態においては、体積およびネックの断面形状は円形に示されているが、体積およびネックはこの形状にのみ限定されているのではない。本発明の様々な実施の形態によれば、体積およびネックは、多角形、立方体形、直方体形、球状または任意の不規則形状でもよい。これらの形状（図示せず）のどれでも、燃焼器５の減衰要件に応じてダンパ装置１００を画定するために使用することができる。
【００４４】
図１０は、本発明の実施の形態による、図９に記載のダンパ１００の平面図を示している。バーナ６の断面は、円形に示されており、２つの体積１０，２０の間に画定された環状体積２２を有するダンパ１００は、バーナ６の断面の周囲において２つの同心円として示されている。各ネック３０の断面は、環状体積２２において円で示されている。プレート７０，７２，７４は、環状体積２２を、並列に相互接続された３つの体積に分けている。プレート７０，７４はそれぞれ３つのネックを備えている。最下部のネック９４，９８（すなわち、ネック３０に最も近いネック）の断面は、それぞれプレート７０，７４に示されている。
【００４５】
ダンパ１００の減衰特性をさらに微調整するために、分割した環状体積に種々の充填材を充填してもよいことが当業者には明らかであろう。図１１は、本発明の実施の形態による、体積間の音響結合を調整するために充填材を使用した環状ヘルムホルツダンパ１００を示している。プレート７０，７４の間に形成された環状体積２２には充填材が充填されている（斜線模様で示す）。例えば、これらに限定されないが、多孔質材料、吸収材料、吸着材料、多孔スクリーンおよび金属発泡体などの充填材を使用してもよい。そのような充填材を含むことは、ダンパ１００の減衰特性を修正するのに役立つ。本発明の別の実施の形態によれば、ダンパ１００をさらに微調整するために、１つまたは複数のネック３０に同じ種類の充填材を使用してもよい。
【００４６】
本発明の種々の別の実施の形態では、そのような充填材は、体積を相互接続しているネック、すなわちネック９０〜９８（図９参照）に使用してもよい。本発明の範囲において、ダンパ１００の微調整を可能にするために、ネックおよび体積のあらゆる組み合わせがそのような充填材を備えてよい。
【００４７】
体積またはネックのいずれかに充填材を使用するこれらの変形例はすべて単に例示であることが当業者には明らかであろう。これらの体積またはネックのいずれも、体積およびネックの音響特性を変え、それによってダンパ装置１００全体の減衰特性を調整するために、そのような材料を使用してもよい。
【００４８】
図１２は、本発明の実施の形態による、図１１に記載のダンパ１００の装置の平面図を示している。バーナ６の断面は、円形に示されており、２つの体積１０，２０の間に画定された環状体積２２を備えたダンパ１００は、バーナ６の断面の周囲において２つの同心円として示されている。各ネック３０の断面は、環状体積２２において円で示されている。環状体積２２を、並列に相互接続されている３つの体積に分けているプレート７０，７２，７４は、３つの線で示されている。プレート７０，７４の間の充填材は、斜線パターンで示されている。
【００４９】
環状体積を並列に相互接続する概念を拡張して、本発明の範囲において、環状体積を直列に接続してもよい。図１３は、本発明の複数の実施の形態による、直列に相互接続された複数の環状体積を有する環状ヘルムホルツダンパ１００の構成を示している。プレートが環状体積２２を複数の体積に分けるように長手方向に挿入されている図７に記載の実施の形態と比較すると、図１３においては、１つまたは複数のプレートが、環状体積２２内で周方向に挿入されており、それによって１つまたは複数のプレートが、環状体積２２を２つ以上の直列に接続された環状体積に分けている。図１３に示されるとおり、プレート１３０１は、体積１０と体積２０との間において周方向に挿入されている。さらに、プレート１３０１は、２つの体積、すなわちプレート１３０１の両側に形成された第１の体積および第２の体積を相互接続している１つまたは複数のネック１３０２を有する。そのため、この実施の形態におけるダンパ１００の全体構成は、直列に相互接続された２つの環状体積を有する。
【００５０】
この構成において、ダンパ１００の減衰特性を変えるために、プレート１３０１の位置に加えて、ネック１３０２の位置およびサイズを変更してもよいことが当業者には明らかであろう。その上、そのようなプレート１３０１を２つ以上加えて、直列の３つ以上の環状体積を形成してもよい。また、ネックと体積との組み合わせは、ダンパ特性をさらに微調整するために充填材を有してもよい。
【００５１】
図１４は、本発明の実施の形態による、図１３に記載の構成の平面図を示している。バーナ６の断面は円形に示されており、かつ２つの体積１０，２０の間に画定されている環状体積２２を有するダンパ１００は、バーナ６の断面の周囲において２つの同心円として示されている。プレート１３０１の断面は、中空形材１０，２０の断面に対して同心円状である。各ネック３０の断面は、環状体積２２において円形で示されている。ネック１３０２の断面は、環状体積２２において点線の円で示されている。
【００５２】
本発明は、その様々な実施の形態を通じて、相互接続された体積およびネックの概念を示すために例示的な設計を提供しているに過ぎないことが当業者には理解されよう。これらの実施の形態は、決して本発明の範囲をこれらの構成にのみ限定することを意図しているのではない。
【００５３】
当然、上記で記載されたすべての特徴を互いに独立して提供してもよい。実際には、使用材料および寸法は、要件および技術水準に従って任意に選ぶことができる。
【００５４】
例示的な実施の形態をガスタービンを参照にして説明してきたが、本発明の実施の形態は、圧力振動を減衰する潜在的な要求がある別の用途にも使用することができる。
【００５５】
さらに、本開示は、本明細書において、最も実用的と思われる例示的な実施の形態において示しかつ記載してきたが、本開示の範囲において逸脱することができ、それは本明細書において記載された詳細に限定されず、添付の特許請求の全範囲に合致し、あらゆる均等なデバイスおよび装置を含むことが当業者には理解されよう。
【００５６】
参照番号
１  従来技術のヘルムホルツダンパ
２  従来技術のダンパ１の共振器体積（減衰体積）
３  従来技術のダンパ１のネック
４  前側パネル壁（すなわちバーナ前側パネル）
６  バーナ
５  燃焼器
１００  本発明のダンパ／ダンパ装置
１０  中空形材（第１の形材）
２０  中空形材（第２の形材）
１１  中空形材１０の壁部
１２  中空形材２０の壁部
２２  環状体積
３０  ネック
Ｆｎ  ダンパ１００および従来技術のダンパの共振周波数
Ａｎ  従来技術のダンパのネックの面積
Ｖ  従来技術のダンパの共振器の体積
Ｌｎ  従来技術のダンパのネックの長さ
Ｌｎ’  本発明のダンパ１００のネックの長さ
Ｒｎ  従来技術のダンパのネックの半径
Ｒｎ’  本発明のダンパ１００のネックの半径
Ｌｖ  従来技術のダンパの体積の長さ
Ｌｖ’  本発明のダンパ１００の体積の長さ
Ｒｖ  従来技術のダンパのネックの半径
Ｒｖ’  本発明のダンパ１００のネックの半径
Ｄｒｖ  体積１０，２０の半径の間の差
２００  環状缶型燃焼器
２０２  環状缶型燃焼器２００のバーナ
７０，７２，７４  プレート
９０，９２，９４，９５，９６，９７，９８  プレート７０，７２，７４内のネック
１３０１  プレート
１３０２  プレート１３０１のネック
【図１】
2015518102.tif 000006
【図２】
2015518102.tif 000007
【図３】
2015518102.tif 000008
【図４】
2015518102.tif 000009
【図５】
2015518102.tif 000010
【図６Ａ】
2015518102.tif 000011
【図６Ｂ】
2015518102.tif 000012
【図７】
2015518102.tif 000013
【図８】
2015518102.tif 000014
【図９】
2015518102.tif 000015
【図１０】
2015518102.tif 000016
【図１１】
2015518102.tif 000017
【図１２】
2015518102.tif 000018
【図１３】
2015518102.tif 000019
【図１４】
2015518102.tif 000020
【国際調査報告】
2015518102.tif 000021
2015518102.tif 000022
2015518102.tif 000023